(57)【要約】【目的】  軒樋の耳部を強固に支持する軒樋カバーの受具を提供する。【構成】  略垂直の面部に、軒樋カバーを取り付けることができる軒樋カバー係止辺と軒樋固定部材が形成されており、軒樋固定部材を上から下へ面部に沿って軒樋吊り部の縁部まで回動させ、軒樋固定部材を面部の突起部で固定し、軒側は縁部を上から、棟側は下から軒樋の前耳と後耳を同時に固定することができることを特徴とする軒樋カバー固定具。【選択図】図１
2010144367.tif 000002
【特許請求の範囲】
【請求項１】
略垂直の面部に、軒樋カバーを取り付けることができる軒樋カバー係止辺と軒樋固定部材が形成されており、前記軒樋カバー係止辺は、水上側から水下側に向かって斜め下方に延出する上辺部とその先端部から内側下方に延出する下辺部とを有している軒樋カバー固定具において、前記下辺部は、先端部から内側下方に傾斜させられている下辺傾斜部が形成され、前記軒樋固定部材を面部に沿って垂直方向へ突起部まで回動させ軒樋固定部材を固定し、軒側は縁部を上から、棟側は下から軒樋の前耳と後耳を同時に固定できることを特徴とする軒樋カバー固定具。
【発明の詳細な説明】
【技術分野】
【０００１】
本発明は、軒樋の耳部を係止して取り付ける軒樋カバーの受具に関するものである。
【背景技術】
【０００２】
従来、この種の軒樋吊り金具としては、例えば、特開第２００７−２９１６７８号公報所載の考案が存在する。
即ち、この従来のものは吊り具本体３と軒樋Ｂの前耳７を受ける前耳受け部Ａと軒樋Ｂの後耳８を受ける後耳受け部４とからなるとともに、該吊り具本体３に固定板５が連設された軒樋吊り金具である。
前耳受け部Ａは、前耳係止部２と吊り具本体３に回動自在に軸支された前耳係合部１とからなる。この前耳係合部１は、トリップ部１２の付勢によって回動するフック部１１とから一体的に構成されている。前耳受け部Ａに軒樋Ｂの前耳７を嵌入することによって押し下げられるトリップ部１２によって付勢回動したフック部１１が、上記前耳７をラッチして軒樋Ｂを支持する軒樋吊り金具である。（図６）
【０００３】
このように、前耳係合部１が縦に回動して支持する構造は公知である。
【特許文献１】特開２００７−２９１６７８
【発明の開示】
【発明が解決しようとする課題】
【０００４】
しかし、従来の前耳係合部１の形状を確認すると回動と旋回するのみで、軒樋Ｂの前耳７が強固に支持されていないため強風等外部からの力で、前耳係合部１が外れてしまい軒樋Ｂが落ちてしまう危険がある。
また、前耳係合部１は軒樋Ｂの前耳７だけに形成されているため、後耳受け部４は引っかかって取り付いているだけで支持力は弱いものである。要するに前耳係合部１は、縦に旋回されて固定されているが、後耳受け部４の係合は補助固定具がないため軒樋Ｂの後耳受け部４より外れ、軒樋が落下する危険もある。
【課題を解決するための手段】
【０００５】
本発明は、かかる課題を解決することを目的とするもので、軒樋カバー固定具の軒樋固定部材を検討した結果、軒樋固定部材を上から下へ面部に沿って垂直方向へ軒樋吊り部の縁部まで回動し、軒樋固定部材は面部の突起部で固定され、軒側は縁部を上から、棟側は下から軒樋の前耳と後耳を同時に固定できる効用を知見し、極めて利用価値大なるものと判断したものである。
【発明の効果】
【０００６】
本発明にかかる軒樋カバー固定具は、軒樋固定部材が形成されている。軒樋吊り部に軒樋を取り付けた後、軒樋固定部材を上から下へ面部に沿って垂直方向へ軒樋吊り部の縁部まで回動し、軒樋固定部材は面部の突起部で固定され、軒側は縁部を上から、棟側は下から軒樋の前耳と後耳を同時に固定できる。固定後、軒樋固定部材は、突起部より上方へ動かず確実に固定されるため、軒樋吊り部と軒樋固定部材により挟まれた軒樋の前耳部、後耳部は同時に固定支持され外れることは無い。
【発明を実施するための最良の形態】
【０００７】
軒樋カバー固定具はプレスにて成型できる形状にする。
軒樋カバー固定具に軒樋カバー取り付け部と軒樋吊り部を形成すれば、鼻隠し等に軒樋カバー固定具を取り付けて、これに軒樋カバーと軒樋を取り付けることができる。
また、軒樋カバー固定具に角度調整固定具を組み合わせるならば、これらの組み合わせ角度を調整することで、鼻隠しの勾配に対応することができる。
【実施例】
【０００８】
以下、本発明を添付した図面に従って実施例を詳説する。
図１は、本発明に係る軒樋カバー固定具１に軒樋カバーＫと軒樋Ｎとを取り付けた状態の説明図であり、図２は、軒樋カバー固定具１の分解斜視図である。図３と図４は、軒樋カバー固定具１の斜視図であり、図３は右側面側から見たところ、図４は左側面側から見たところである。図５は、軒樋カバー固定具１の説明図である。
軒樋カバー固定具１に軒樋吊り部５を形成して軒樋カバーＫと軒樋Ｎとを取り付けることができる。また、軒樋カバー固定具１の面部３に軒樋固定部材３３及び角度調整固定具６が形成されている。軒樋固定部材３３は、軒樋吊り部５に軒樋Ｎを取り付け後、上から下へ面部に沿って垂直方向へ軒樋吊り部５の縁部５１まで回動させることにより、軒樋固定部材３３は面部の突起部３２で固定され、軒側は縁部を上から、棟側は下から軒樋Ｎの前耳と後耳を同時に固定できる。
角度調整固定具６は、鼻隠しの勾配に対応することができるようにした一実施例である。ここに示す軒樋吊り部５、角度調整固定具６及び軒樋固定部材３３の構成は一例にすぎず、当業者であれば状況に応じて設計変更を加えていくことができる。
【０００９】
本実施例の軒樋カバー固定具１の構成について説明する。
軒樋カバー係止辺２は、軒樋カバー後端係止部２３より上辺先端部２１まで斜め内側下方に傾斜している。また、水上側端部には軒樋カバー後端係止部２３が構成されている。
軒樋カバー固定具１の下部には、軒樋吊り部５が形成されている。
面部３には、軒樋固定部材３３が形成され、軒樋固定部材３３を軒樋固定部材先端部３３１より上から下へ軒樋吊り部５の縁部５１まで面部３に沿って垂直方向に回動することで、軒側は、縁部５１を上から棟側縁部５２は下から軒樋Ｎの前耳Ｎ１と後耳Ｎ２を同時に固定し、突起部３２により軒樋固定部材３３が固定され軒樋Ｎの前耳Ｎ１と後耳Ｎ２は同時に固定される。（図５参照）
この際、軒樋固定部材３３を突起部３２の下まで回動し、軒樋吊り部５と同じ水平状態にしないと、軒樋固定部材３３の軒樋固定部材先端部３３１が軒樋カバーＫにぶつかり軒樋カバーＫが被らなくなる。このように軒樋固定部材３３の軒樋固定部材先端部３３１の形状は、軒樋Ｎの固定忘れ防止としての機能も有するものである。
【００１０】
また、鼻隠しの勾配に対応することができるように、軒樋カバー固定具１に角度調整固定具６を組み合わせている。これを鼻隠しＨに固定するが、角度調整固定具６の固定部４を鼻隠しＨに止着具等で固定する。（図２、図４）
図１に見られるように、軒樋吊り部５に軒樋Ｎを吊り、軒樋固定部材３３が、軒樋固定部材先端部３３１より上から下へ面部３に沿って下部へ垂直方向に軒樋吊り部５の縁部５１まで回動し、突起部３２により軒樋固定部材３３が、固定され軒樋Ｎの軒側は縁部５１を上から、棟側縁部５２は下から前耳Ｎ１と後耳Ｎ２が同時に固定される。
【産業上の利用可能性】
【００１１】
叙述のように本発明は、軒樋固定部材の形成により面部に沿って垂直方向へ突起部まで回動させ、軒樋固定部材を固定することで軒側は縁部を上から、棟側は下から軒樋の前耳部、後耳部を同時に固定支持し、外れることは無く、構造的に優れていることが認められるものである。
要望に応じて、軒樋カバー固定具に角度調整固定具を組み合わせ角度を調整することで、鼻隠しの勾配に対応することができる。
【図面の簡単な説明】
【００１２】
【図１】本発明の軒樋カバー固定具１に軒樋カバーＫと軒樋Ｎとを取り付けた状態の説明図である。
【図２】本発明の軒樋カバー固定具１の分解斜視図である。
【図３】本発明の軒樋カバー固定具１の斜視図である。
【図４】本発明の軒樋カバー固定具１の斜視図である。
【図５】本発明の軒樋カバー固定具１の説明図である。
【図６】従来の技術を表す図である。
【符号の説明】
【００１３】
１・・・・軒樋カバー固定具
２・・・・軒樋カバー係止辺
２１・・・上辺先端部
２１１・・上辺傾斜部
２１２・・先端部
２２・・・下辺傾斜部
２３・・・軒樋カバー後端係止部
３・・・・面部
３１・・・係止穴
３２・・・突起部
３３・・・軒樋固定部材
３３１・・軒樋固定部材先端部
４・・・・固定部
５・・・・軒樋吊り部
５１・・・縁部
５２・・・棟側縁部
６・・・・角度調整固定具
６１・・・面板部
６２・・・係止長穴
Ｋ・・・・軒樋カバー
Ｈ・・・・鼻隠し
Ｊ・・・・軸穴
Ｊ１・・・軸ピン
Ｊ２・・・係止ピン
Ｎ・・・・軒樋
Ｎ１・・・前耳
Ｎ２・・・後耳
【図１】
2010144367.tif 000003
【図２】
2010144367.tif 000004
【図３】
2010144367.tif 000005
【図４】
2010144367.tif 000006
【図５】
2010144367.tif 000007
【図６】
2010144367.tif 000008